(57)【特許請求の範囲】
【請求項１】
棟から軒先に向かって傾斜した傾斜面が形成された傾斜面を有する屋根であって、
前記傾斜面には、立ち上がり壁と床とを有する凹部が設けられ、
この凹部は、凹部屋根ユニットによって構成され、この凹部屋根ユニットは、前記床を構成する長方形状の床部と、前記立ち上がり壁を構成する立ち上がり部とを備える側面Ｌ字状のフレームと、このフレームのいずれか一方の端部において、前記立ち上がり部の上端と前記床部の屋外側先端との間に架設される斜め梁とを備えて構成され、
前記凹部の端部は、前記棟に直交する前記屋根の側面に臨んでいることを特徴とする傾斜面を有する屋根。
【請求項２】
棟から軒先に向かって傾斜した傾斜面を構成する傾斜屋根部と、この傾斜屋根部に隣接して配置されかつ歩行可能な屋根面を構成する歩行屋根部とを備えた傾斜面を有する屋根であって、
前記傾斜屋根部には、立ち上がり壁と床とを有する凹部が設けられ、
この凹部は、凹部屋根ユニットによって構成され、この凹部屋根ユニットは、前記床を構成する長方形状の床部と、前記立ち上がり壁を構成する立ち上がり部とを備える側面Ｌ字状のフレームと、このフレームのいずれか一方の端部において、前記立ち上がり部の上端と前記床部の屋外側先端との間に架設される斜め梁とを備えて構成され、
前記凹部の端部は、前記歩行屋根部と連通していることを特徴とする傾斜面を有する屋根。
【請求項３】
請求項１に記載の傾斜面を有する屋根において、
前記側面が妻面とされる切り妻屋根であることを特徴とする傾斜面を有する屋根。
【請求項４】
請求項１に記載の傾斜面を有する屋根において、
前記棟の端部から前記棟に直交する軒先に延びる下り棟が形成され、前記側面が傾斜面とされた寄せ棟屋根であることを特徴とする傾斜面を有する屋根。
【請求項５】
請求項２に記載の傾斜面を有する屋根において、
前記傾斜屋根部は、前記側面が妻面とされる切り妻屋根であることを特徴とする傾斜面を有する屋根。
【請求項６】
請求項２に記載の傾斜面を有する屋根において、
前記傾斜屋根部は、前記棟の端部から前記棟に直交する軒先に延びる下り棟が形成され、前記側面が傾斜面とされた寄せ棟屋根であることを特徴とする傾斜面を有する屋根。
【発明の詳細な説明】
【０００１】
【発明の属する技術分野】
本発明は、棟から軒先に向かって傾斜面が形成された傾斜面を有する屋根に関する。
【０００２】
【背景技術】
建物本体上に棟から軒先に向かって傾斜した傾斜面が形成された傾斜面を有する屋根では、小屋裏空間を居室として使用することにより、建物を大幅に高くすることなく、建物の階層数を増やすことができるので、建物内部の空間を有効に活用することができる。
一方、このような小屋裏空間を利用した居室を建物の２階上部に形成した場合、建物は３階建てとなるので、道路に面した部分から安全に３階居室に到達できる非常用進入口を設ける必要がある。
【０００３】
【発明が解決しようとする課題】
しかしながら、従来は、このような傾斜面を有する屋根において、非常用進入口を設ける場合、例えば、切り妻屋根の妻面等の垂直面に非常用進入口を設けなければならなかった。
従って、非常用進入口の設置位置が限定されていしまい、小屋裏空間を利用した３階居室のレイアウトが制限されてしまい、必ずしも３階居室の有効活用を図っているとは言い難かった。
【０００４】
本発明の目的は、道路に面した部分から安全に到達できる非常用進入口を設けることができ、かつ小屋裏空間に形成される居室の有効活用を図ることのできる傾斜面を有する屋根を提供することにある。
【０００５】
【課題を解決するための手段】
本発明に係る傾斜面を有する屋根は、図１の符号を参照して説明すれば、棟Ａ２から軒先Ａ３に向かって傾斜した傾斜面Ａ４が形成された傾斜面を有する屋根Ａ１であって、前記傾斜面には、立ち上がり壁Ａ５１と床Ａ５２とを有する凹部Ａ５が設けられ、この凹部は、凹部屋根ユニットによって構成され、この凹部屋根ユニットは、前記床を構成する長方形状の床部と、前記立ち上がり壁を構成する立ち上がり部とを備える側面Ｌ字状のフレームと、このフレームのいずれか一方の端部において、前記立ち上がり部の上端と前記床部の屋外側先端との間に架設される斜め梁とを備えて構成され、前記凹部の端部は、前記棟に直交する前記屋根の側面Ａ６に臨んでいることを特徴とする。
ここで、棟とは、建物の桁方向に沿って延びる屋根の最も高い部分をいい、互いに異なる傾斜方向の傾斜面同士が交差する稜線の他、片流れ屋根の上部端縁をも含むものである。
このような本発明によれば、凹部の端部が棟に直交する屋根の側面に臨んでいるので、凹部の床を立ち上がり壁に設けられた非常用進入口Ａ５４に至る通路として利用することが可能となり、非常用進入口を凹部の立ち上がり壁の自由な位置に設けることが可能となる。
従って、非常用進入口の設置位置等の制限が緩和され、小屋裏空間に形成された居室のレイアウトを自由に設定することが可能となる。
また、凹部が、凹部屋根ユニットによって構成され、この凹部屋根ユニットが、長方形状の床部と立ち上がり部とを備える側面Ｌ字状のフレームを備えているので、予め工場内で凹部屋根ユニットに床材、壁材等を組み込んでおくことができる。従って、建築現場における作業を大幅に低減することができ、建築現場の工期短縮を図ることができる。
また、凹部屋根ユニットが、前記フレームのいずれか一方の端部に架設された斜め梁を備えているので、凹部屋根ユニットのフレーム強度が向上し、輸送時、荷台に固定する縄掛け等の作業を低減することができる。
【０００６】
また、本発明に係る傾斜面を有する屋根は、図８を参照して説明すれば、棟Ｅ２１から軒先Ｅ３１に向かって傾斜した傾斜面を構成する傾斜屋根部Ｅ２と、この傾斜屋根部に隣接して配置されかつ歩行可能な屋根面を構成する歩行屋根部Ｅ３とを備えた傾斜面を有する屋根Ｅ１であって、前記傾斜屋根部には、立ち上がり壁と床とを有する凹部Ｅ５が設けられ、この凹部は、凹部屋根ユニットによって構成され、この凹部屋根ユニットは、前記床を構成する長方形状の床部と、前記立ち上がり壁を構成する立ち上がり部とを備える側面Ｌ字状のフレームと、このフレームのいずれか一方の端部において、前記立ち上がり部の上端と前記床部の屋外側先端との間に架設される斜め梁とを備えて構成され、前記凹部の端部は、前記歩行屋根部と連通していることを特徴とする。
このような本発明によれば、歩行屋根部と傾斜面を有する屋根との取り合い部分となる側壁部にも非常用進入口を形成することが可能となるので、凹部の立ち上がり壁とともに非常用進入口の設置位置の自由度が向上し、３階居室のレイアウトの制限が一層緩和される。
また、凹部が、前記凹部屋根ユニットによって構成されているので、予め工場内で凹部屋根ユニットに床材、壁材等を組み込んでおくことができ、建築現場の工期短縮を図ることができるとともに、前記凹部屋根ユニットのフレームに架設された斜め梁によって、フレーム強度が向上し、輸送時の作業を低減することができる。
【０００７】
以上において、傾斜面を有する屋根としては、具体的には、棟に直交する屋根の側面が妻面Ａ６〜Ｇ６とされる切り妻屋根Ａ１〜Ｇ１と、図１４を参照して説明すれば、棟Ｉ２の端部から当該棟に直交する軒先Ｉ６に延びる下り棟Ｉ７が形成され、棟に直交する屋根の側面が傾斜面Ｉ８とされた寄せ棟屋根Ｉ１が考えられる。
すなわち、切り妻屋根に上述した凹部Ａ５〜Ｇ５を設けた場合、妻面に直交して延出する凹部の立ち上がり壁に非常用進入口を形成することが可能となるので、建物の妻側および桁側いずれの方向からでも梯子等を架けて進入することが可能となり、道路からの進入方向の自由度が向上する。
また、寄せ棟屋根に凹部Ｉ５を設けた場合、棟に直交する傾斜面方向から進入可能な非常用進入口Ｉ５４が形成されるので、非常用進入口のために、垂直面を有するドーマ等を別途当該傾斜面に形成する必要がなく、傾斜面を有する屋根の構造の簡素化が図られる。
【０００８】
【発明の実施の形態】
以下、本発明の第１実施形態を図面に基づいて説明する。
図１には、本発明の第１実施形態に係る傾斜面を有する屋根を備え、複数の略箱状の建物ユニットを組み合わせて形成されるユニット式建物が示されている。
ユニット式建物Ａは、現場打設された基礎１上に設けられる２階建ての建物本体２と、この建物本体２上に設けられる傾斜面を有する屋根Ａ１とを含んで形成される。
傾斜面を有する屋根Ａ１は、前記建物本体２の桁方向に沿って延びる棟Ａ２から建物本体２の両側の桁側側面に沿って延びる軒先Ａ３に向かって傾斜した一対の傾斜面Ａ４を有する両流れの切り妻屋根である。
【０００９】
このような傾斜面を有する屋根Ａ１の小屋裏空間は、図１では図示を略したが、建物本体２の２階居室部分から昇降可能な３階居室部分として利用されているとともに、傾斜面を有する屋根Ａ１の図１中手前側の傾斜面Ａ４には、この居室部分から出入り可能な凹部Ａ５が設けられている。
凹部Ａ５は、立ち上がり壁Ａ５１と、床Ａ５２とを有し、図１中左側の端部は前記棟Ａ２の延出方向に直交する側面である妻面Ａ６に臨んでいるとともに、他方の端部には、上述した小屋裏空間の内外を仕切る壁Ａ５３が設けられている。
そして、立ち上がり壁Ａ５１には、小屋裏空間の居室部分すなわち、ユニット式建物Ａの３階居室に進入するための非常用進入口Ａ５４が設けられ、Ｘ方向、Ｙ方向のいずれからも非常用進入口Ａ５４への進入が可能となっている。
【００１０】
このようなユニット式建物Ａは、工場で製造された略箱状の建物ユニットを建築現場で組み合わせるユニット構法によって形成され、このようなユニット構法によれば、予め工場内で建物ユニットに壁材、床材、その他の設備部材を組み込んでおけるので、建築現場における作業を大幅に低減することができ、建築現場における工期短縮を図ることができる。
具体的には、ユニット式建物Ａは、建物本体２を構成する直方体状の建物ユニット２１と、傾斜面を有する屋根Ａ１を構成する屋根ユニット３１と、上述した小屋裏空間内の３階居室を構成する低建物ユニット４１と、傾斜面を有する屋根Ａ１の軒先を構成する軒先ユニット５１と、凹部５を構成する凹部屋根ユニット６１と、低建物ユニット４１上に配設される屋根パネル７１とを含んで形成される。
【００１１】
建物ユニット２１は、図２に示すように、鋼製材からなる軸組構造のフレーム２１１を有し、このフレーム２１１は、四隅に立設される角形鋼管からなる柱２１２と、これらの柱２１２の上端間、下端間を連絡するコ字状の断面を有する梁２１３とから構成されている。
そして、図２では図示を略したが、フレーム２１１には、予め工場で内外壁材、床材、天井材、その他の必要な設備部材が取り付けられた状態で出荷される。
尚、上述した小屋裏空間の３階居室を構成する低建物ユニット４１も建物ユニット２１と同様の構成であるが、傾斜面を有する屋根Ａ１の小屋裏空間に納めるために、フレームの高さ寸法が小さくなっていて、天井高さを十分に確保するために、天井材は取り付けられていない。
【００１２】
傾斜面Ａ４を構成する屋根ユニット３１は、図３に示すように、三角柱の長方形側面を底面とした軸組構造のフレーム３１１を有している。
このフレーム３１１は、４本の梁３１２を長方形状に組み合わせた水平フレーム３１３と、水平フレーム３１３上に立設され、傾斜面Ａ４の束となる２本の垂直部材３１４と、この２本の垂直部材３１４の上端間を連絡する棟Ａ２方向に延びる水平部材３１５と、垂直部材３１４の上端および水平フレーム３１３の上面を連絡する斜材３１６とを備えている。
【００１３】
前記水平フレーム３１３の上面の端部および中間部分と、前記水平部材３１５の端部および中間部分とには、ブラケット３１７が設けられ、このブラケット３１７に屋根面材の取付下地となる合板３１８が接合固定されている。
そして、図３では図示を略したが、この合板３１８上には、防水用のアスファルトフェルトを介して屋根面材が釘打ち固定される。
尚、水平フレーム３１３には、互いに対向する一対の梁の中間部分に鋼製の中間梁３１９が架設されるとともに、図３では図示を略したが、この中間梁３１９に平行に複数本の木製の根太が架設され、その上に床面材が取り付けられ、屋根ユニット３１の内部も上述した３階居室として利用される。
【００１４】
凹部Ａ５を構成する凹部屋根ユニット６１は、図４に示すように、側面Ｌ字状の鋼製フレーム６１１を有し、このフレーム６１１は、床Ａ５２を構成する長方形状の床部６１２と、立ち上がり壁Ａ５１を構成する立ち上がり部６１３とから構成されている。
床部６１２上には、図４では図示を略したが、平面視で立ち上がり部６１３と平行に複数の根太が架設され、その上に床面材６１４が取り付けられ、この床面材６１４の上面は防水シートによって覆われている。
尚、上記根太の高さ寸法は、床部６１２の一方の端縁（立ち上がり部６１３が設けられる端縁）から他方の端縁に向かうに従って小さくなっている。
従って、その上に取り付けられる床面材６１４には、屋外側に低くなった水勾配が形成されることとなり、図４では図示を略したが、水勾配の下流側となる前記他方の端縁にはその延出方向に沿って側溝が設けられている。
【００１５】
立ち上がり部６１３は、上述した床部６１２の端縁に沿って立設形成され、その側面には、前記床面材６１４と取り合うように、軽量気泡コンクリート板（以下ＡＬＣ板）製の外壁材６１５が取り付けられている。
また、立ち上がり部６１３には、非常用進入口Ａ５４を取り付ける鋼製下地６１６が設けられているとともに、図４では図示を略したが、この外壁材の反対側には、３階居室の内壁を形成する珪酸カルシウム板からなる内壁材が取り付けられている。
【００１６】
このような屋根ユニット３１、低建物ユニット４１、凹部屋根ユニット６１によって形成される傾斜面を有する屋根Ａ１の桁側端縁には、図１から判るように、軒樋を備えた軒先ユニット５１が接続され、傾斜面Ａ４に降り注ぐ雨水は、この軒先ユニット５１と、縦樋（図１では図示略）とによって地表面に排出される。
尚、凹部Ａ５の上部にあたる傾斜面Ａ４の下部端縁にも軒先ユニット５１が設けられている。
また、棟Ａ２は、傾斜面Ａ４の角度に合わせて当接させた２枚の屋根パネル７１によって形成され、その上部を棟カバーによって覆われている。
ここで、屋根パネル７１は、長方形状の下地フレームと、この下地フレーム上に取り付けられる合板および屋根面材とを含んで形成され、当該下地フレームの下端部が前記屋根ユニット３１に接続されるとともに、上端部は、前記低建物ユニット４１の棟Ａ２に対応する位置に所定の間隔を開けて立設される束部材によって支持固定されている。
【００１７】
以上のような第１実施形態によれば、次のような効果がある。
すなわち、凹部Ａ５の端部が妻面Ａ６に臨んでいるので、凹部Ａ５の床Ａ５２を非常用進入口Ａ５４に至る通路として利用することができ、非常用進入口Ａ５４を凹部Ａ５の立ち上がり壁Ａ５１の自由な位置に設けることができる。
従って、非常用進入口Ａ５４の設置位置等の制限が緩和され、小屋裏空間に形成された３階居室のレイアウトを自由に設定することができる。
【００１８】
また、切り妻屋根である傾斜面を有する屋根Ａ１の妻面Ａ６に直交して延出する凹部Ａ５の立ち上がり壁Ａ５１に非常用進入口Ａ５４が形成されるので、ユニット式建物Ａの妻側Ｘ方向、桁側Ｙ方向のいずれの方向からでも梯子等を架け渡して３階居室に進入することができ、道路からの進入方向の自由度は一層向上する。
さらに、傾斜面を有する屋根Ａ１が屋根ユニット３１、低建物ユニット４１、軒先ユニット５１によって構成されているので、矩形状の屋根パネルを束部材で支持する構造の屋根よりも、垂直部材の立設本数を低減することができ、小屋裏空間の３階居室を広くかつ使いやすく確保することができる。
【００１９】
そして、ユニット式建物Ａが建物ユニット２１、屋根ユニット３１、低建物ユニット４１、軒先ユニット５１、凹部屋根ユニット６１等を組み合わせて形成されているので、建築現場における大幅な工期短縮を図ることができる。
また、屋根ユニット３１、低建物ユニット４１の内装工事を予め工場で済ますことができるので、傾斜面を有する屋根Ａ１および３階居室を形成するための現場作業を著しく軽減することができる。
【００２０】
次に、本発明の第２実施形態について説明する。尚、以下の説明では、既に説明した部材または部分と同一又は類似の部材または部分については、その説明を省略または簡略にする。
前述した第１実施形態に係るユニット式建物Ａでは、傾斜面を有する屋根Ａ１には１つの凹部Ａ５しか形成されていなかった。
これに対して、第２実施形態に係るユニット式建物Ｂの傾斜面を有する屋根Ｂ１では、図５に示すように、建物本体２の桁方向に延びる棟Ｂ２に直交する２つの妻面Ｂ６のそれぞれに臨む凹部Ｂ５が２箇所設けられている。
【００２１】
２つの凹部Ｂ５は、図５中手前側の同一の傾斜面Ｂ４に形成され、ユニット式建物Ｂの桁方向に沿って配列されるとともに、これらの凹部Ｂ５の中間部分は、傾斜面Ｂ４によって区画され、当該傾斜面Ｂ４の小屋裏内部が３階居室の一部とされている。
従って、凹部Ｂ５には、それぞれ非常用進入口Ｂ５４が設けられ、図５中左側の妻面Ｂ６近傍のＸ１方向、Ｙ１方向と、図５では図示しない他の妻面近傍のＸ２方向、Ｙ２方向とから、それぞれの非常用進入口Ｂ５４によって３階居室に進入可能となっている。
尚、傾斜面を有する屋根Ｂ１を構成するユニット部材は、第１実施形態の傾斜面を有する屋根Ａ１と同様に、屋根ユニット３１、低建物ユニット４１、軒先ユニット５１、凹部屋根ユニット６１を組み合わせることによって形成されている。
その他の棟Ｂ２、傾斜面Ｂ４、妻面Ｂ６、凹部Ｂ５の立ち上がり部Ｂ５１および床Ｂ５２等の構造は上述した第１実施形態の場合と同様である。
【００２２】
前述の第２実施形態によれば、第１実施形態の効果に加えて、以下の効果がある。
すなわち、傾斜面を有する屋根Ｂ１に凹部Ｂ５が２箇所設けられているので、それぞれの凹部Ｂ５にＸ１方向、Ｙ１方向、Ｘ２方向、Ｙ２方向から進入することができ、道路から非常用進入口Ｂ５４への進入路の確保が一層容易になる。
【００２３】
次に、本発明の第３実施形態について説明する。
前述の第２実施形態に係るユニット式建物Ｂの傾斜面を有する屋根Ｂ１は、凹部Ｂ５が同一の傾斜面Ｂ４に２箇所設けられ、ユニット式建物Ｂの桁方向に沿って配列され、その中間部分を傾斜面Ｂ４によって区画されていた。
これに対して、第３実施形態に係るユニット式建物Ｃの傾斜面を有する屋根Ｃ１は、図６に示すように、両流れの傾斜面Ｃ４の一方に凹部Ｃ５の両端がユニット式建物Ｃの２つの妻面Ｃ６に臨んでいて、ユニット式建物Ｃの桁方向に沿って全体に凹部Ｃ５が形成されている。
【００２４】
そして、非常用進入口Ｃ５４は、図６中手前側の凹部屋根ユニット６１にのみ形成されていて、他の凹部屋根ユニット６１には、形成されていない。
尚、非常用進入口Ｃ５４が形成されていない凹部屋根ユニット６１には、前述した図４において、非常用進入口Ｃ５４を取り付けるための鋼製下地６１６が省略されている。
また、凹部Ｃ５が一方の傾斜面Ｃ４の全体に形成されているので、３階居室は、凹部Ｃ５が形成されていない他の傾斜面Ｃ４の小屋裏空間を利用して形成される。
その他の棟Ｃ２、軒先Ｃ３等については、上述した第２実施形態の傾斜面を有する屋根Ｂ１と同様の構造である。
【００２５】
このような第３実施形態に係る傾斜面を有する屋根Ｃ１によれば、前述した各実施形態の効果に加えて、以下のような効果がある。
すなわち、凹部Ｃ５が一方の傾斜面Ｃ４の全体に形成されているので、ユニット式建物Ｃの桁方向側面、すなわちＹ方向に面する側面のどの部分からでも進入可能であり、Ｘ１方向、Ｘ２方向に加え、道路からの非常用進入口Ｃ５４への進入方向の自由度は第２実施形態の場合よりも一層向上する。
また、凹部Ｃ５がすべて連通しているので、非常用進入口Ｃ５４を凹部Ｃ５を構成する凹部屋根ユニット６１のいずれか１つに設ければよく、３階居室のレイアウトの自由度が一層向上するうえ、非常用進入口Ｃ５４の設置箇所を低減することができる。
【００２６】
次に、本発明の第４実施形態について説明する。
前述した第３実施形態に係るユニット式建物Ｃの傾斜面を有する屋根Ｃ１は、両流れの傾斜面Ｃ４の一方に凹部Ｃ５の両端がユニット式建物Ｃの２つの妻面Ｃ６に臨んでいて、ユニット式建物Ｃの桁方向に沿って全体に凹部Ｃ５が形成され、凹部Ｃ５のすべてが屋外空間とされていた。
これに対して、図７に示すように、第４実施形態に係る傾斜面を有するユニット式建物Ｄの傾斜面を有する屋根Ｄ１において、凹部Ｄ５は、第３実施形態に係る凹部Ｃ５と同様に、両端が妻面Ｄ６に臨んでいるが、凹部Ｄ５の略中央部に棟Ｄ２を形成する屋根パネル７１の下端縁から軒先Ｄ３まで延びる開口部付き屋根パネル８１が架設され、凹部Ｄ５の当該部分は、開口部付き屋根パネル８１によって覆われている。
【００２７】
開口部付き屋根パネル８１は、図７では図示を略したが、上述した屋根パネル７１と同様に矩形状の下地フレーム上に合板、アスファルトフェルト、屋根面材を取り付けたものである。
そして、下地フレームの内部には、開口部枠となる鋼製下地が設けられ、開口部８１１には、ガラスが嵌め込まれている。
【００２８】
以上のような第４実施形態によれば、前述した各実施形態の効果に加え、次のような効果がある。
すなわち、凹部Ｄ５の中央部分がその上部を開口部付き屋根パネル８１によって覆われているので、当該部分は雨水等が降り注ぐこともなく、凹部Ｄ５を一層有効に活用することができる。
また、開口部付き屋根パネル８１の開口部分を利用して凹部Ｄ５に進入することができるので、第３実施形態の場合と比較しても、道路からの非常用進入口Ｄ５４への進入方向の自由度が損なわれることもない。
【００２９】
次に、本発明の第５実施形態について説明する。
前述した第１実施形態〜第４実施形態に係る傾斜面を有する屋根Ａ〜Ｄは、建物本体２の上部全体に亘って傾斜面Ａ４、Ｂ４、Ｃ４、Ｄ４が形成され、凹部Ａ５、Ｂ５、Ｃ５、Ｄ５は、その端部が妻面Ａ６、Ｂ６、Ｃ６、Ｄ６に臨んでいた。
これに対して、第５実施形態に係るユニット式建物Ｅの傾斜面を有する屋根Ｅ１は、傾斜面Ｅ４が形成された傾斜屋根部Ｅ２とこの傾斜屋根部Ｅ２に隣接して配置される歩行屋根部Ｅ３とを備え、傾斜屋根部Ｅ２の小屋裏空間が３階居室とされ、傾斜屋根部Ｅ２に設けられた凹部Ｅ５の端部が歩行屋根部Ｅ２と連通している。
尚、傾斜屋根部Ｅ２と歩行屋根部Ｅ３との取り合い部分には、傾斜屋根部Ｅ２の棟Ｅ２１に直交して側壁Ｅ６が形成されている。
【００３０】
傾斜屋根部Ｅ２に設けられる凹部Ｅ５は、前述した凹部屋根ユニット６１を配置して形成され、その上部は、第４実施形態で説明した開口部付き屋根パネル８１によって覆われている。
一方、歩行屋根部Ｅ３は、複数の歩行屋根ユニット９１を隣接配置して形成され、この歩行屋根ユニット９１は、図９に示すように、下地フレーム９１１上にＡＬＣ（軽量気泡コンクリート）製の床面材９１２を取り付けた平板状のパネルである。
下地フレーム９１１は、断面コ字状の鋼材９１３を四角形状に組み合わせて形成され、下地フレーム９１１の長辺を構成する一対の鋼材９１３の間には、補強材９１４が架設され、この上に床面材９１２が載置固定されている。
尚、図９では図示を略したが、この床面材９１２上には、軟質の防水シートが貼られている。
【００３１】
このような第５実施形態によれば、前述した第１実施形態〜第４実施形態の効果に加えて、次のような効果がある。
すなわち、歩行屋根部Ｅ２と傾斜屋根部Ｅ３との取り合い部分となる側壁Ｅ６および凹部Ｅ５の立ち上がり壁Ｅ５１のいずれにも、非常用進入口Ｅ５４が自由に設置できるので、非常用進入口Ｅ５４による３階居室のレイアウトの制限を一層緩和することができる。
また、凹部Ｅ５の端部が歩行屋根部Ｅ３と連通しているので、非常用進入口Ｅ５４を歩行屋根部Ｅ３のための出入り口としても利用することができ、通常時、非常用進入口Ｅ５４を有効に活用することができる。
【００３２】
次に、本発明の第６実施形態について説明する。
前述した第５実施形態に係るユニット式建物Ｅの傾斜面を有する屋根Ｅ１は、一方のユニット式建物Ｅの建物本体２の妻面に臨む傾斜屋根部Ｅ２と他方の妻面に臨む歩行屋根部Ｅ３とに分割して形成されていた。
これに対して、第６実施形態に係るユニット式建物Ｆの傾斜面を有する屋根Ｆ１は、図１０に示すように、建物本体２の妻面に臨む傾斜屋根部Ｆ２が２箇所形成されていて、この２つの傾斜屋根部Ｆ２の間に歩行屋根部Ｆ３が形成されている。尚、それぞれの傾斜屋根部Ｆ２の傾斜面Ｆ４、棟Ｆ２１、軒先Ｆ３１の構造は、互いに同一の構造を有し、前述した第１実施形態で説明した通りである。
尚、非常用進入口Ｆ５４への進入方向は、妻面Ｆ６のＸ１方向およびＸ２方向と、凹部Ｆ５が設けられた傾斜面Ｆ４の建物本体２の桁方向全体に亘るＹ１方向と、凹部Ｆ５が設けられていない傾斜面Ｆ４側のＹ２方向との４箇所となる。
【００３３】
凹部Ｆ５を構成する凹部屋根ユニット６１Ａは、図１１に示すように、上述した他の実施形態で使用される凹部屋根ユニット６１の一方の端部に立ち上がり部６１３の上端と床部６１２の屋外側先端との間に斜め梁６１１Ａが架設されている。
そして、図１１では図示を略したが、斜め梁６１１Ａにはその延出方向に沿って合板および屋根面材が取付られ、このため、斜め梁６１１Ａの両端には、ブラケット６１２Ａが設けられている。
【００３４】
このような第６実施形態によれば、前述の第５実施形態の効果に加えて、以下のような効果がある。
すなわち、ユニット式建物Ｆの略中央部に設けられた歩行屋根部Ｆ３によって、凹部Ｆ５の設けられていない側の傾斜面Ｆ４から非常用進入口Ｆ５４に進入することができるので、道路からの非常用進入口Ｆ５４への進入方向自由度は一層向上する。
また、凹部屋根ユニット６１Ａに斜め梁６１１Ａが架設されているので、凹部屋根ユニット６１Ａのフレーム強度が向上し、輸送時、荷台に固定する縄掛け等の作業を軽減することができる。
【００３５】
尚、本発明は、前述の各実施形態に限定されるものではなく、次に示すような変形をも含むものである。
すなわち、前述の第１実施形態における傾斜面を有する屋根Ａ１は、凹部Ａ５以外の部分は、すべて傾斜面Ａ４によって構成されていたが、これに限らず、図１２に示すユニット式建物Ｇのように、傾斜面を有する屋根Ｇ１の一部が歩行屋根部Ｇ３となっていて、この歩行屋根部Ｇ３と凹部Ｇ５とが連通していないような傾斜面を有する屋根Ｇ１であっても、第１実施形態で述べた効果と同様の効果を得ることができる。
尚、この場合、傾斜面Ｇ４の小屋裏空間に形成された居室には、歩行屋根部Ｇ３への出入り口Ｇ３１と、非常用進入口Ｇ５４との両方を設ける必要がある。
【００３６】
また、前述の第６実施形態では、傾斜面を有する屋根Ｆ１は、ユニット式建物Ｆの両端に配設される傾斜屋根部Ｆ２と中間部分に配設される歩行屋根部Ｆ３とから構成されていたが、これに限らず、図１３に示すユニット式建物Ｈのように、傾斜面を有する屋根Ｈ１が、ユニット式建物Ｈの両端に配設される歩行屋根部Ｈ３と、これらの歩行屋根部Ｈ３の間に配設される傾斜屋根部Ｈ４とから構成される傾斜面を有する屋根Ｈ１であってもよい。
尚、凹部Ｈ５は、その上部を前述した開口部付き屋根パネル８１によって覆われている。
このような傾斜面を有する屋根Ｈ１によれば、歩行屋根部Ｈ３を通路として利用することにより、凹部Ｈ５に設けられる非常用進入口Ｈ５４への進入方向自由度は、ユニット式建物Ｈのほぼ全周に亘って確保することができる。
【００３７】
さらに、前述の各実施形態では、傾斜面を有する屋根Ａ１、Ｂ１、Ｃ１、Ｄ１、Ｅ１、Ｆ１、Ｇ１、Ｈ１は、棟に直交する方向の屋根の側面が垂直面である切り妻屋根であったが、これに限らず、図１４に示すユニット式建物Ｉのように、棟Ｉ２の端部から当該棟Ｉ２に直交する軒先Ｉ６に延びる下り棟Ｉ７が形成され、屋根の側面が傾斜面Ｉ８とされた寄せ棟屋根形状の傾斜面を有する屋根Ｉ１に凹部Ｉ５を形成してもよい。
このような寄せ棟形状の傾斜面を有する屋根Ｉ１によれば、前述した第１実施形態で述べた効果に加えて、凹部Ｉ５を形成するだけで、棟Ｉ２に直交する傾斜面Ｉ８方向から進入可能な非常用進入口Ｉ５４を形成することができるので、非常用進入口を形成するために、垂直面を有するドーマ等を傾斜面Ｉ８上に設ける必要もなく、屋根構造の簡素化を図ることができる。
【００３８】
そして、前述の各実施形態では、ユニット式建物Ａ〜Ｈの傾斜面を有する屋根Ａ１〜Ｈ１に凹部Ａ５〜Ｈ５を設けていたが、これに限らず、いわゆる在来軸組構法によって建築された建物の屋根として本発明に係る傾斜面を有する屋根を形成しても、前述の各実施形態で述べた効果と同様の効果を享受することができる。
その他、本発明の実施の際の具体的な構造および形状等は、本発明の目的を達成できる範囲で他の構造等としてもよい。
【００３９】
【発明の効果】
前述のように、本発明の傾斜面を有する屋根によれば、凹部の端部が棟に直交する屋根の側面に臨んでいて、凹部の床を非常用進入口に至る通路として利用することができるので、道路に面した部分から安全に到達できる非常用進入口を設けることができ、かつ小屋裏空間に形成される居室の有効活用を図ることができる。
【図面の簡単な説明】
【図１】本発明の第１実施形態に係るユニット式建物を表す概要斜視図である。
【図２】前述の実施形態におけるユニット式建物を構成する建物ユニットの構造を表す概要斜視図である。
【図３】前述の実施形態における傾斜面を有する屋根を構成する屋根ユニットを表す概要斜視図である。
【図４】前述の実施形態における凹部を構成する凹部屋根ユニットを表す概要斜視図である。
【図５】本発明の第２実施形態に係るユニット式建物を表す概要斜視図である。
【図６】本発明の第３実施形態に係るユニット式建物を表す概要斜視図である。
【図７】本発明の第４実施形態に係るユニット式建物を表す概要斜視図である。
【図８】本発明の第５実施形態に係るユニット式建物を表す概要斜視図である。
【図９】前述の実施形態における歩行屋根部を構成する歩行屋根ユニットを表す概要斜視図である。
【図１０】本発明の第６実施形態を表すユニット式建物を表す概要斜視図である。
【図１１】前述の実施形態の凹部を構成する凹部屋根ユニットを表す概要斜視図である。
【図１２】前述の第１実施形態の変形となるユニット式建物を表す概要斜視図である。
【図１３】前述の第５実施形態の変形となるユニット式建物を表す概要斜視図である。
【図１４】前述の第１実施形態の他の変形となる寄せ棟屋根に凹部を形成したユニット式建物を表す部分斜視図である。
【符号の説明】
Ａ１、Ｂ１、Ｃ１、Ｄ１、Ｅ１、Ｆ１、Ｇ１、Ｈ１、Ｉ１  傾斜面を有する屋根Ａ２、Ｂ２、Ｃ２、Ｄ２、Ｅ２１、Ｆ２１  棟
Ａ３、Ｂ３、Ｃ３、Ｄ３、Ｅ３１、Ｆ３１  軒先
Ａ４、Ｂ４、Ｃ４、Ｄ４、Ｅ４、Ｆ４  傾斜面
Ｅ２、Ｆ２、Ｈ２、  傾斜屋根部
Ｅ３、Ｆ３、Ｈ３  歩行屋根部
Ａ６、Ｂ６、Ｃ６、Ｄ６、Ｅ６、Ｆ６、Ｇ６  妻面（屋根の側面）
Ｉ８  寄せ棟屋根の傾斜面（屋根の側面）
【図１】
0003871768.tif 000002
【図２】
0003871768.tif 000003
【図３】
0003871768.tif 000004
【図４】
0003871768.tif 000005
【図５】
0003871768.tif 000006
【図６】
0003871768.tif 000007
【図７】
0003871768.tif 000008
【図８】
0003871768.tif 000009
【図９】
0003871768.tif 000010
【図１０】
0003871768.tif 000011
【図１１】
0003871768.tif 000012
【図１２】
0003871768.tif 000013
【図１３】
0003871768.tif 000014
【図１４】
0003871768.tif 000015